(57)【要約】【課題】薄型化を図りつつ、より少ない光源でローカルディミングを行うことができる光源装置を提供する。【解決手段】光源装置は、１以上のグループＱにグループ化されている複数の導光板２１と、１以上のグループＱ夫々に対応して設けられた光モジュール２３とを備える。光モジュール２３は、対応するグループＱに属する複数の導光板２１に入光させる光を出射する第１光源と、対応するグループＱに属する導光板２１のいずれか１以上に、第１光源の光を入光させるように第１光源の光の入光先を切替える第１光スイッチとを備える。【選択図】図３
2020017506.tif 000002
【特許請求の範囲】
【請求項１】
内部に入光した光を主面から出射する複数の導光板を備え、前記複数の導光板を前記主面が同一方向を向くように並べて配置した光源装置であって、
前記複数の導光板は、１以上のグループにグループ化されており、
前記１以上のグループ夫々に対応して設けられ、対応するグループに属する複数の前記導光板に入光させる光を出射する１以上の第１光源と、
前記１以上のグループ夫々に対応して設けられ、対応するグループに属する複数の前記導光板のいずれか１以上に、前記第１光源の光を入光させるように前記第１光源の光の入光先を切替える１以上の第１光スイッチと、
前記１以上の第１光源及び前記１以上の第１光スイッチを制御する制御部と
を備える、光源装置。
【請求項２】
前記複数の導光板は、複数のグループにグループ化されており、
前記制御部は、
複数のグループ夫々に対応して設けられた複数の前記第１光源を個別に制御し、
前記第１光源が出射する光の強度及び／又は前記第１光源が光を出射する期間を調整する、請求項１に記載の光源装置。
【請求項３】
前記制御部は、前記第１光スイッチが前記第１光源の光の入光先を切替えるごとに、前記第１光源が出射する光の強度及び／又は前記第１光源が光を出射する期間を調整する、請求項２に記載の光源装置。
【請求項４】
前記複数の導光板は、複数のグループにグループ化されており、
前記複数のグループ夫々に対応して設けられた複数の前記第１光源夫々の光を増強するための第２光源を更に備え、
前記第１光源は、
光を発する発光部と、
前記第２光源の光が入光していないときは前記発光部の光を前記第１光源の光として出射し、前記第２光源の光が入光しているときは前記発光部の光に対して前記第２光源の光を合成した合成光を前記第１光源の光として出射する第１合成部とを有する、請求項１から請求項３のいずれか１つに記載の光源装置。
【請求項５】
前記複数のグループ夫々に対応して設けられた複数の前記第１光源夫々の前記第１合成部のいずれか１以上に前記第２光源の光を入光させるように前記第２光源の光の入光先を切替える第２光スイッチを更に備える、請求項４に記載の光源装置。
【請求項６】
前記第１光源は、
波長領域が相互に異なる光を発する複数の発光部と、
前記複数の発光部が発した光を合成する第２合成部と
を有し、
前記制御部は、前記複数の発光部が発する光の強度比を調整する、請求項１から請求項５のいずれか１つに記載の光源装置。
【請求項７】
前記複数の導光板夫々には、第１側面と該第１側面に直交する第２側面との間の角部を切り欠いた切り欠き面が設けられており、
前記第１光スイッチと、該第１光スイッチに対応するグループに属する複数の前記導光板夫々の前記切り欠き面とが光ケーブルで接続されており、
前記第１光源の光は、前記光ケーブルを経由して前記切り欠き面から前記導光板に入光する、請求項１から請求項６のいずれか１つに記載の光源装置。
【請求項８】
内部に入光した光を主面から出射する複数の導光板を備え、前記複数の導光板を前記主面が同一方向を向くように並べて配置した光源装置と、
マトリックス状に配置された複数の画素により形成された表示領域を有し、前記光源装置が出射した光を用いて、入力された画像データに基づく画像を前記表示領域に表示する表示パネルと
を備え、
前記複数の導光板夫々の前記主面の前方に前記複数の画素のいずれか１以上が配置されるように、前記光源装置の前方に前記表示パネルが配置されており、
前記複数の導光板は、１以上のグループにグループ化されており、
前記光源装置は、
前記１以上のグループ夫々に対応して設けられ、対応するグループに属する複数の前記導光板に入光させる光を出射する１以上の第１光源と、
前記１以上のグループ夫々に対応して設けられ、対応するグループに属する複数の前記導光板のいずれか１以上に、前記第１光源の光を入光させるように前記第１光源の光の入光先を切替える１以上の第１光スイッチと、
前記１以上の第１光源及び前記１以上の第１光スイッチを制御する制御部と
を備える、表示装置。
【請求項９】
前記第１光スイッチは、前記制御部による制御の下、対応するグループに属する複数の前記導光板の前方に配置されている複数の画素に表示される画像に基づいて、前記第１光源の光の入光先を切替える、請求項８に記載の表示装置。
【請求項１０】
各グループに属する複数の前記導光板は、所定方向に並べて配置されており、
前記複数の画素は、前記表示領域における前記所定方向の一端の画素から前記所定方向の他端の画素まで順番に画像の書き換えが行われ、
前記第１光スイッチは、前記制御部による制御の下、対応するグループに属する複数の前記導光板の前方に配置されている複数の画素の画像の書き換えタイミングに応じて、前記第１光源の光の入光先を切替える、請求項８に記載の表示装置。
【請求項１１】
前記複数の導光板は、複数のグループにグループ化されており、
前記制御部は、
前記複数のグループ夫々に対応して設けられた複数の前記第１光源を個別に制御し、
一の前記第１光源の光が入光される前記導光板の前方に配置されている１以上の画素に表示される画像に基づいて、該一の第１光源が出射する光の強度及び／又は該一の第１光源が光を出射する期間を調整する、請求項８から請求項１０のいずれか１つに記載の表示装置。
【請求項１２】
前記制御部は、前記第１光スイッチが前記第１光源の光の入光先を切替えるごとに、前記第１光源が出射する光の強度及び／又は前記第１光源が光を出射する期間を調整する、請求項１１に記載の表示装置。
【請求項１３】
前記複数の導光板は、複数のグループにグループ化されており、
前記光源装置は、前記複数のグループ夫々に対応して設けられた複数の前記第１光源夫々の光を増強するための第２光源を更に備え、
前記第１光源は、
光を発する発光部と、
前記第２光源の光が入光していないときは前記発光部の光を前記第１光源の光として出射し、前記第２光源の光が入光しているときは前記発光部の光に対して前記第２光源の光を合成した合成光を前記第１光源の光として出射する第１合成部を有する、請求項８から請求項１２のいずれか１つに記載の表示装置。
【請求項１４】
前記光源装置は、前記複数のグループ夫々に対応して設けられた複数の前記第１光源夫々の前記第１合成部のいずれか１以上に前記第２光源の光を入光させるように前記第２光源の光の入光先を切替える第２光スイッチを更に備え、
前記第２光スイッチは、前記制御部による制御の下、前記表示領域に表示される画像に基づいて前記第２光源の光の入光先を切替える、請求項１３に記載の表示装置。
【請求項１５】
前記第１光源は、
波長領域が相互に異なる光を発する複数の発光部と、
前記複数の発光部が発した光を合成する第２合成部と
を有し、
前記制御部は、一の前記第１光源の光が入光される前記導光板の前方に配置されている１以上の画素に表示される画像に基づいて、該一の第１光源の前記複数の発光部が発する光の強度比を調整する、請求項８から請求項１４のいずれか１つに記載の表示装置。
【請求項１６】
前記複数の導光板夫々には、第１側面と該第１側面に直交する第２側面との間の角部を切り欠いた切り欠き面が設けられており、
前記第１光スイッチと、該第１光スイッチに対応するグループに属する複数の前記導光板夫々の前記切り欠き面とが光ケーブルで接続されており、
前記第１光源の光は、前記光ケーブルを経由して前記切り欠き面から前記導光板に入光する、請求項８から請求項１５のいずれか１つに記載の表示装置。
【発明の詳細な説明】
【技術分野】
【０００１】
本発明は、光源装置及び光源装置を備える表示装置に関する。
【背景技術】
【０００２】
表示装置において、表示領域内の区画ごとに該区画を照射する光源装置の明るさを調整するローカルディミングと呼ばれる手法が知られている。
【０００３】
一般に、ローカルディミングを採用する表示装置では、直下型の光源装置が用いられている。一方、デザイン上の観点から表示装置の薄型化が求められているが、直下型の光源装置を用いた場合、表示装置の薄型化が困難である。
【０００４】
例えば、特許文献１には、複数の導光板が、夫々の光出射面が同一方向を向くようにマトリックス状に配置された光源装置が開示されている。
【先行技術文献】
【特許文献】
【０００５】
【特許文献１】特開２００９−２０５８２７号公報
【発明の概要】
【発明が解決しようとする課題】
【０００６】
特許文献１に開示の光源装置では、導光板ごとに明るさを調整することによりローカルディミングが可能である。しかし、特許文献１に開示の光源装置の構成では、導光板の数以上の多くの光源が必要となる。その結果、光源装置及び表示装置のサイズが大きくなり、また製造費用が嵩むことになる。
【０００７】
本発明は斯かる事情に鑑みてなされたものであり、その目的とするところは、薄型化を図りつつ、より少ない光源でローカルディミングを行うことができる光源装置及び表示装置を提供することにある。
【課題を解決するための手段】
【０００８】
本発明に係る光源装置は、内部に入光した光を主面から出射する複数の導光板を備え、前記複数の導光板を前記主面が同一方向を向くように並べて配置した光源装置であって、前記複数の導光板は、１以上のグループにグループ化されており、前記１以上のグループ夫々に対応して設けられ、対応するグループに属する複数の前記導光板に入光させる光を出射する１以上の第１光源と、前記１以上のグループ夫々に対応して設けられ、対応するグループに属する複数の前記導光板のいずれか１以上に、前記第１光源の光を入光させるように前記第１光源の光の入光先を切替える１以上の第１光スイッチと、前記１以上の第１光源及び前記１以上の第１光スイッチを制御する制御部とを備える。
【０００９】
本発明に係る表示装置は、内部に入光した光を主面から出射する複数の導光板を備え、前記複数の導光板を前記主面が同一方向を向くように並べて配置した光源装置と、マトリックス状に配置された複数の画素により形成された表示領域を有し、前記光源装置が出射した光を用いて、入力された画像データに基づく画像を前記表示領域に表示する表示パネルとを備え、前記複数の導光板夫々の前記主面の前方に前記複数の画素のいずれか１以上が配置されるように、前記光源装置の前方に前記表示パネルが配置されており、前記複数の導光板は、１以上のグループにグループ化されており、前記光源装置は、前記１以上のグループ夫々に対応して設けられ、対応するグループに属する複数の前記導光板に入光させる光を出射する１以上の第１光源と、前記１以上のグループ夫々に対応して設けられ、対応するグループに属する複数の前記導光板のいずれか１以上に、前記第１光源の光を入光させるように前記第１光源の光の入光先を切替える１以上の第１光スイッチと、前記１以上の第１光源及び前記１以上の第１光スイッチを制御する制御部とを備える。
【発明の効果】
【００１０】
本発明によれば、薄型化を図りつつ、より少ない光源でローカルディミングを行うことができる光源装置及び表示装置が提供される。
【図面の簡単な説明】
【００１１】
【図１】実施の形態１における表示装置の外観図である。
【図２】図１におけるＡ−Ａ線の部分断面図である。
【図３】光源装置の構成図である。
【図４】光モジュールの構成図である。
【図５】表示パネルの構成図である。
【図６】複数の導光板と複数の画素との対応関係を示す図である。
【図７】光源装置の動作の説明図である。
【図８】実施の形態２における光源装置の構成図である。
【図９】実施の形態２における光モジュールの構成図である。
【図１０】ＬＥＤ、ブーストＬＥＤ及び光カプラの動作の説明図である。
【図１１】実施の形態３における光モジュールの構成図である。
【発明を実施するための形態】
【００１２】
以下、本発明をその実施の形態を示す図面に基づいて詳述する。
（実施の形態１）
図１は、実施の形態１における表示装置１の外観図である。表示装置１は、矩形状の表示パネル１０と、光源装置２（図２参照）と、表示パネル１０及び光源装置２の間に配置された光学シート２０（図２参照）とを備える。表示パネル１０は、その前面に画像を表示する表示領域を有する。表示パネル１０の前面の周縁部は、中央部に開口１１ａを有する矩形枠状のフレーム１１によって覆われている。表示パネル１０の表示領域は、開口１１ａから露出している。
【００１３】
図２は、図１におけるＡ−Ａ線における部分断面図である。フレーム１１の断面はＬ字状をなしており、フレーム１１は、表示パネル１０の前面の周縁部を覆う前壁部１１ｂと、前壁部１１ｂに連設され表示パネル１０の端面を覆う周壁部１１ｃとを有する。フレーム１１の前壁部１１ｂと表示パネル１０の周縁部との間には、緩衝材Ｐ１が配置されている。
【００１４】
光学シート２０は、拡散シートやプリズムシート等、種々の光学的作用をなす複数枚のシートを含む。光学シート２０の前面は、表示パネル１０の後面に対向し、光学シート２０の後面は、後述する複数の導光板２１の前面２１ｄに対向している。
【００１５】
光源装置２は、表示パネル１０の後側から表示パネル１０の後面に向けて光を出射する。表示パネル１０は、光源装置２が出射した光を用いて、入力された画像データに基づく画像を表示領域に表示する。
【００１６】
図３は、光源装置２の構成図である。図３には、後側から見た光源装置２の構成が概略的に示されている。光源装置２は、複数の導光板２１と、１以上の光モジュール２３と、駆動部２５（制御部）とを備える。本実施の形態において、複数の導光板２１夫々は、矩形状の導光板の角部に切り欠きを設けることによって形成される。複数の導光板２１夫々は、Ｍ行（Ｍ：２以上の整数）及びＮ列（Ｎ：２以上の整数）のマトリックス状に配置されている。以下では、マトリックス状に配置された複数の導光板２１の行は上から順に数え、列は左から順に数える。従って、１行目のＮ個の導光板２１は最も上側に配置された導光板２１であり、Ｍ行目のＮ個の導光板２１は最も下側に配置された導光板２１である。また、１列目のＭ個の導光板２１は最も左側に配置された導光板２１であり、Ｎ列目のＭ個の導光板２１は最も右側に配置された導光板２１である。
【００１７】
複数の導光板２１は、夫々の前面２１ｄ（主面）が同一方向を向くように並べて配置されている。複数の導光板２１夫々には、第１側面２１ａと第１側面２１ａに直交する第２側面２１ｂとの間の角部を切り欠いた切り欠き面２１ｃが設けられており、切り欠き面２１ｃに光ケーブル２２の一端が接続されている。光ケーブル２２は、例えば、光ファイバである。
【００１８】
複数の導光板２１は、Ｎ個のグループＱにグループ化されている。本実施の形態では、各列の上下方向（所定方向）に並べて配置されたＭ個の導光板２１が１つのグループＱを形成している。各グループＱに属するＭ個の導光板２１に接続されているＭ本の光ケーブル２２の他端は１つの光モジュール２３に接続されている。光源装置２において、光モジュール２３は、例えば、最も下側に配置された導光板２１（Ｍ行目に配置されたＮ個の導光板２１）の下側に配置される。光モジュール２３の数は、グループＱの数と同じであり、Ｎ個である。複数の導光板２１の後側には反射シート２４（図２参照）が配置されている。
【００１９】
Ｎ個の光モジュール２３は、Ｎ個のグループＱに対応して設けられている。Ｎ個の光モジュール２３夫々は、自身に接続されているＭ個の光ケーブル２２を介して、対応するグループＱに属するＭ個の導光板２１の内部に光を入光させる。導光板２１は、例えばアクリル樹脂を用いて構成される。光モジュール２３から光ケーブル２２を介して導光板２１の内部に入光した光は、導光板２１の内部で繰り返し反射し、導光板２１の前面２１ｄから表示パネル１０に向けて出射される。即ち、複数の導光板２１夫々は、入光された光を前面２１ｄから前側に出射する。Ｎ個の光モジュール２３夫々の動作は、駆動部２５によって制御される。
【００２０】
Ｎ個の光モジュール２３は、例えば、１つの矩形状のモジュール基板２６（図２参照）によって支持されている。モジュール基板２６は、光モジュール２３が実装される面である上面がＭ行目に配置されたＮ個の導光板２１の下側の端面と対向するように配置されている。モジュール基板２６の上面において、Ｎ個の光モジュール２３が左右方向に並べられている。
【００２１】
再び図２を参照する。モジュール基板２６の下面は、伝熱性を有するバックライトシャーシ２７に密着している。バックライトシャーシ２７は、例えば、アルミニウム板を加工することによって製造される。バックライトシャーシ２７は、前面が開放された箱状をなす。従って、バックライトシャーシ２７は、複数の導光板２１の端面を覆う周壁部２７ａと、周壁部２７ａに連設されて、反射シート２４の後側に配置される底壁部２７ｂとを有する。底壁部２７ｂは、複数の導光板２１を支持している。底壁部２７ｂの後側は外気にさらされている。このため、光モジュール２３の出射によって、モジュール基板２６で発生した熱はバックライトシャーシ２７を介して外気中に放出される。
【００２２】
１行目に配置されたＮ個の導光板２１の上縁部、Ｍ行目に配置されたＮ個の導光板２１の下縁部、１列目に配置されたＭ個の導光板２１の左縁部及びＮ列目に配置されたＭ個の導光板２１の右縁部は、緩衝材Ｐ２を介して、パネルシャーシ２８によって覆われている。パネルシャーシ２８は、複数の導光板２１の前側に配置された前壁部２８ａと、バックライトシャーシ２７の周壁部２７ａを外側から覆う周壁部２８ｂとを有する。フレーム１１の周壁部１１ｃは、パネルシャーシ２８の周壁部２８ｂをその外側から覆っている。パネルシャーシ２８の前壁部２８ａは、光学シート２０の周縁部を支持すると共に、緩衝材Ｐ３を介して、表示パネル１０の周縁部を支持している。
【００２３】
図４は、光モジュール２３の構成図である。図４には、光モジュール２３の構成が概略的に示されている。光モジュール２３は、ＬＥＤ３０（発光部）を有する光源Ｈ（第１光源）、コネクタ３１、光ケーブル３２、及び光スイッチ３３（第１光スイッチ）を有する。光ケーブル３２は、例えば光ファイバである。ＬＥＤ３０は、コネクタ３１によって、光ケーブル３２の一端に接続されている。光ケーブル３２の他端は光スイッチ３３に接続されている。光スイッチ３３は、Ｍ本の光ケーブル２２の他端に接続されている。Ｍ本の光ケーブル２２夫々の一端は、１つのグループＱに属するＭ個のうちの一の導光板２１に接続されている。従って、光スイッチ３３と、当該光スイッチ３３に対応するグループＱに属するＭ個の導光板２１夫々の切り欠き面２１ｃとがＭ本の光ケーブル２２で接続されている。前述したように、Ｎ個の光モジュール２３は、Ｎ個のグループＱに対応して設けられている。従って、光モジュール２３が有するＬＥＤ３０、コネクタ３１、光ケーブル３２及び光スイッチ３３も、Ｎ個のグループＱに対応してＮ個ずつ設けられている。
【００２４】
ＬＥＤ３０は、対応するグループＱに属するＭ個の導光板２１に入光させる光を出射する。ＬＥＤ３０が出射する光は、赤色、緑色及び青色の光を含む白色の光である。ＬＥＤ３０は駆動部２５によって制御される。駆動部２５は、ＬＥＤ３０に光の出射を開始又は停止させる。また、駆動部２５は、ＬＥＤ３０が出射する光の強度を調整する。
【００２５】
ＬＥＤ３０から出射された光は、コネクタ３１及び光ケーブル３２を介して光スイッチ３３に入る。光スイッチ３３は、例えばＭＥＭＳ（Micro Electro Mechanical Systems）光スイッチである。光スイッチ３３は、ＬＥＤ３０から出射された光を、当該光スイッチ３３に接続されているＭ本の光ケーブル２２中のいずれか１以上（本実施の形態では１本）の光ケーブル２２に取り込む。光ケーブル２２に取り込まれた光は、この光ケーブル２２に接続されている導光板２１に出射される。光スイッチ３３は、駆動部２５の指示に従って、光を取り込む光ケーブル２２を、Ｍ本の光ケーブル２２中の１本に切替える。
【００２６】
以上のように、光スイッチ３３は、駆動部２５の指示に従って、当該光スイッチ３３に対応するグループＱに属するＭ個の導光板２１のいずれか１以上（本実施の形態では１つ）にＬＥＤ３０の光を入光させるように、ＬＥＤ３０の光の入光先を切替える。駆動部２５は、Ｎ個のＬＥＤ３０の動作と、Ｎ個の光スイッチ３３の動作とを個別に制御する。ＬＥＤ３０の光は、Ｍ本の光ケーブル２２中の１本を経由して、選択された導光板２１にその切り欠き面２１ｃから入光する。
【００２７】
このように、複数の導光板２１夫々について、ＬＥＤ３０から出射された光が光ケーブル３２，２２を介して切り欠き面２１ｃから入光するので、それらの前面２１ｄから均一な光を容易に出力させることができる。なお、Ｎ個の光モジュール２３夫々が有するＮ個のＬＥＤ３０は、１つの場所に配置されていてもよく、複数の場所に個別に配置されてもよい。
【００２８】
図５は、表示パネル１０の構成図である。図５には表示パネル１０の構成が概略的に示されている。図５において、黒丸は配線の接続を示し、黒丸が付されていない配線の交差は配線が接続されていないことを示す。
【００２９】
表示パネル１０では、複数の画素５０が、Ｋ行（Ｋ：Ｍ以上の整数）及びＬ列（Ｌ：Ｎ以上の整数）のマトリックス状に配置されている（図６参照）。表示パネル１０は、複数の導光板２１夫々の前面２１ｄの前方に１以上の画素５０が配置されるように、光源装置２の前方に配置されている。表示パネル１０の表示領域は、これらの画素５０により形成される。
【００３０】
本実施の形態において、複数の画素５０夫々は、互いに異なる色（ＲＧＢの３色）を表示する３つのサブ画素を含む。従って、複数の画素５０夫々は、３つの画素電極、即ちＲ（赤色）を表示するサブ画素（Ｒ画素）の画素電極６０ｒとＧ（緑色）を表示するサブ画素（Ｇ画素）の画素電極６０ｇとＢ（青色）を表示するサブ画素（Ｂ画素）の画素電極６０ｂとを含む。一の画素５０に含まれる３つの画素電極６０ｒ，６０ｇ，６０ｂは、例えば行方向（左右方向）に並んでいる。
【００３１】
画素電極６０ｒにはＲ画素のＴＦＴ(Thin Film Transistor)６１ｒのドレインが接続され、画素電極６０ｇにはＧ画素のＴＦＴ６１ｇのドレインが接続され、画素電極６０ｂにはＢ画素のＴＦＴ６１ｂのドレインが接続されている。以下、画素電極６０ｒ、画素電極６０ｇ、及び画素電極６０ｂを総称して「画素電極６０」といい、ＴＦＴ６１ｒ、ＴＦＴ６１ｇ、及びＴＦＴ６１ｂを総称して「ＴＦＴ６１」という。ＴＦＴ６１のゲートはゲート線５１に接続されている。同一行に配置されているＬ個の画素５０夫々のＴＦＴ６１のゲートは、共通のゲート線５１に接続されている。ゲート線５１の数は、Ｋ本である。
【００３２】
ＴＦＴ６１のソースは、ソース線５２に接続されている。同一列に配置されるＫ個の画素５０夫々のＴＦＴ６１ｒのソースは、共通のソース線５２に接続されている。ソース線５２の数は、３・Ｌ本である。ここで、「・」は積を表す。
【００３３】
ＴＦＴ６１は、ＴＦＴ６１のゲートが接続されているゲート線５１の電圧が所定電圧以上である場合、オンである。ＴＦＴ６１がオンである場合、ＴＦＴ６１のソースに接続されているソース線５２の電圧が、ＴＦＴ６１のドレインに接続されている画素電極６０に印加される。また、ＴＦＴ６１は、ＴＦＴ６１が接続されているゲート線５１の電圧が所定電圧未満である場合、オフである。ＴＦＴ６１がオフである場合、画素電極６０の電圧は保持される。
【００３４】
複数の画素電極６０の前側に板状の共通電極（図示しない）が配置されており、複数の画素電極６０と共通電極との間に液晶が封入されている。共通電極の前側には、サブ画素に対応する領域ごとに所定の色の光のみを透過させるカラーフィルタが配置されている。具体的には、共通電極の前側において、画素電極６０ｒに対向する位置に赤色の光のみを透過させる赤色フィルタが、画素電極６０ｇに対向する位置に緑色の光のみを透過させる緑色フィルタが、画素電極６０ｂに対向する位置に青色の光のみを透過させる青色フィルタが、夫々配置されている。
【００３５】
画素電極６０の後側には第１偏光板が配置され、カラーフィルタの前側には第２偏光板が配置されている。第１偏光板及び第２偏光板は、互いに直交する方向に振動する光のみを透過させる。光源装置２が出射した光は、光学シート２０を通過した後、表示パネル１０において、第１偏光板、画素電極６０、液晶層、共通電極、カラーフィルタ、及び第２偏光板の順に通過する。ここで、画素電極６０にソース線５２の電圧が印加されると、画素電極６０及び共通電極間の液晶分子の状態が変化する。液晶分子の状態に応じて液晶を透過した後の光の電界の振動方向が変化するので、画素電極６０に印加される電圧に応じて、第２偏光板を介して出射される光の強度が変化する。即ち、各画素電極６０に印加される電圧を調整することによって、各画素５０に表示される色の階調値が調整される。
【００３６】
Ｋ本のゲート線５１は、ゲートドライバ５３に接続されている。ゲートドライバ５３は、Ｋ本のゲート線５１のうちの１本のゲート線５１を上側から順に選択し、選択したゲート線５１に所定電圧以上の電圧を印加する。選択されたゲート線５１に所定電圧以上の電圧が印加されることで、選択されたゲート線５１に接続されているＴＦＴ６１がオンに切替わる。なお、選択されていない残りのゲート線５１には所定電圧未満の電圧が印加されており、残りのゲート線５１に接続されているＴＦＴ６１はオフとなっている。
【００３７】
３・Ｌ本のソース線５２は、ソースドライバ５４に接続されている。ソースドライバ５４は、オンであるＴＦＴ６１に接続されている画素電極６０に階調値に応じた電圧を印加するためのソース信号をソース線５２に供給する。
【００３８】
表示パネル１０は、入力部５６、表示制御部５７、及び出力部５８を更に有する。入力部５６及び出力部５８は、表示制御部５７に接続されている。入力部５６には、画像データが入力される。入力部５６は、入力された画像データを表示制御部５７に出力する。表示制御部５７は、入力部５６から入力された画像データに基づいて、駆動部２５用の制御信号、ゲートドライバ５３用の制御信号、及びソースドライバ５４用の制御信号を生成する。出力部５８により、駆動部２５用の制御信号が駆動部２５に出力され、ゲートドライバ５３用の制御信号がゲートドライバ５３に出力され、ソースドライバ５４用の制御信号がソースドライバ５４に出力される。
【００３９】
駆動部２５は、出力部５８から入力された制御信号に従って、Ｎ個の光モジュール２３夫々のＬＥＤ３０及び光スイッチ３３を制御する。ゲートドライバ５３は、出力部５８から入力された制御信号に従って、Ｋ本のゲート線５１の電圧を調整する。ソースドライバ５４は、出力部５８から入力された制御信号に従って、３・Ｌ本のソース線５２の電圧を調整する。
【００４０】
以上のように、駆動部２５、ゲートドライバ５３、及びソースドライバ５４は、入力部５６に入力された画像データに基づく制御信号に基づいて動作を行う。これにより、表示パネル１０は、光源装置２が出射した光を用いて、複数の画素５０により形成された表示領域に、入力部５６に入力された画像データに基づく画像を表示する。
【００４１】
図６は、複数の導光板２１と複数の画素５０との対応関係を示す図である。図６には、前側から見た複数の導光板２１と複数の画素５０とが概略的に示されている。前述したように、複数の導光板２１は、Ｍ行及びＮ列のマトリックス状に配置され、複数の画素５０はＫ行及びＬ列のマトリックス状に配置されている。
【００４２】
本実施の形態において、複数の導光板２１夫々の大きさは略同一であり、複数の導光板２１夫々には同数の画素５０が対応付けられている。具体的には、図６に示すように、各導光板２１には、その前側に位置しＳ行及びＴ列のマトリックス状に配置されたＳ・Ｔ個の画素５０が対応付けられている。ここで、ＳはＫをＭで除算することによって算出される整数であり、ＴはＬをＮで除算することによって算出される整数である。従って、ＫはＭの整数倍であり、ＬはＮの整数倍である。（Ｓ・（Ｆ−１）＋１）行目（Ｆ＝１，２，・・・，Ｍ）から（Ｓ・Ｆ）行目までの複数の画素５０には、Ｆ行目のＮ個の導光板２１が対応する。（Ｔ・（Ｇ−１）＋１）列目（Ｇ＝１，２，・・・，Ｎ）から（Ｔ・Ｇ）列目までの複数の画素５０には、Ｇ列目のＭ個の導光板２１が対応する。Ｇ列目のＭ個の導光板２１夫々には、図３の左からＧ番目に配置されている光モジュール２３から光が出射される。
【００４３】
各光モジュール２３の光スイッチ３３は、駆動部２５による制御の下、種々の情報に基づいて当該光モジュール２３のＬＥＤ３０の光の入光先を切り替える。例えば、光スイッチ３３は、当該光スイッチ３３に対応するグループＱに属するＭ個の導光板２１の前方に配置されている複数の画素５０に表示される画像（具体的には画像の明るさ等）に基づいて、ＬＥＤ３０の光の入光先を切替えてもよい。また、光スイッチ３３は、当該光スイッチ３３に対応するグループＱに属するＭ個の導光板２１の前方に配置されている複数の画素５０の書き換えタイミングに基づいて、ＬＥＤ３０の光の入光先を切替えてもよい。以下、前者の切替え方法を切替え方法１といい、後者の切替え方法を切替え方法２という。
【００４４】
まず、切替え方法１について具体的に説明する。ここでは、対象の光モジュール２３の光スイッチ３３を光スイッチＡと表記し、対象の光モジュール２３のＬＥＤ３０をＬＥＤ−Ａと表記する。また、光スイッチＡに対応するグループＱに属するＭ個の導光板２１夫々を導光板Ａと表記する。また、導光板Ａの前方に配置されている１以上の画素５０により形成される表示区画（表示領域の一区画）、即ち導光板Ａに対応する表示区画を表示区画Ａと表記する。
【００４５】
光スイッチＡは、駆動部２５による制御の下、Ｍ個の導光板Ａ夫々に対応するＭ個の表示区画Ａに表示される画像の明るさに基づいて、ＬＥＤ−Ａの光の入光先をＭ個の導光板Ａの中で切り替える。例えば、駆動部２５は、各表示区画Ａに表示される画像の明るさとして、当該表示区画Ａを形成する１以上の画素５０夫々の映像データの階調値を平均した値（階調平均値）を取得する。そして、駆動部２５は、Ｍ個の表示区画Ａ夫々について取得したＭ個の階調平均値夫々について、所定のしきい値以上であるか否かを判定する。駆動部２５は、階調平均値がしきい値以上である表示区画Ａに対応する導光板Ａを、ＬＥＤ−Ａの光の入光先として選択する。駆動部２５は、選択した導光板ＡにＬＥＤ−Ａの光を入光させるように、光スイッチＡを制御する。なお、階調平均値がしきい値以上である表示区画Ａに対応する導光板Ａが複数ある場合は、駆動部２５は、当該複数の導光板ＡにＬＥＤ−Ａの光を交互に入光させるように、光スイッチＡを制御してもよい。また、駆動部２５は、階調平均値が最も大きい表示区画Ａに対応する導光板Ａを、ＬＥＤ−Ａの光の入光先として選択してもよい。
【００４６】
このように、光スイッチ３３は、駆動部２５による制御の下、表示される画像の明るさが所定値以上である表示区画に対応する導光板２１にＬＥＤ３０の光を入光させ、それ以外の導光板２１にはＬＥＤ３０の光を入光させないようにする。これにより、暗い表示区画を光らせずに明るい表示区画だけを光らせることができ、ＬＥＤ３０の光を効率的に利用できるので、ＬＥＤ３０の数を低減できる。
【００４７】
次に、切替え方法２について図７を参照して説明する。図７は、光源装置２の動作の説明図である。説明を簡単にするため、Ｍ、Ｎ、Ｋ、Ｌ、Ｓ及びＴ夫々が、３、６、６、１２、２及び２である例を説明する。従って、複数の導光板２１は、３行及び６列のマトリックス状に配置され、各導光板２１の前方に、４個の画素５０が２行及び２列のマトリックス状に配置されている。ここでは、図３の最も左に配置されている光モジュール２３（１列目の光モジュール２３）を例に挙げて説明する。以下、マトリックスのｎ行ｍ列目に位置する導光板２１を導光板（ｎ，ｍ）と表記し、マトリックスのｋ行ｌ列目に位置する画素５０を画素（ｋ，ｌ）と表記する。
【００４８】
図７には、ソースドライバ５４に近い側から数えて１〜Ｋ（＝６）番目の６本のゲート線５１夫々に対する電圧の印加状態の推移が示されている。ゲート線５１に所定電圧以上の電圧が印加されている状態（図中「印加」で示す状態）において、該ゲート線５１に接続されているＴＦＴ６１はオンである。この状態において、該ゲート線５１に接続されている画素５０（Ｒ画素、Ｇ画素、及びＢ画素）の充電（画素５０の書き換え）が行われる。一方、ゲート線５１に上記所定電圧以上の電圧が印加されていない状態（図中「停止」で示す状態）において、該ゲート線５１に接続されているＴＦＴ６１はオフである。
【００４９】
ゲートドライバ５３は、１〜６番目のゲート線５１に順次電圧を印加する。１〜６番目のゲート線５１への電圧の印加に合わせて、ソースドライバ５４は、１〜６行目の画素５０にソース信号の電圧を印加する。従って、１番目のゲート線５１に接続された画素（１，ｘ）、２番目のゲート線５１に接続された画素（２，ｘ）、３番目のゲート線５１に接続された画素（３，ｘ）、４番目のゲート線５１に接続された画素（４，ｘ）、５番目のゲート線５１に接続された画素（５，ｘ）、及び６番目のゲート線５１に接続された画素（６，ｘ）について、画素（１，ｘ）、画素（２，ｘ）、画素（３，ｘ）、画素（４，ｘ）、画素（５，ｘ）、画素（６，ｘ）の順に画素５０の充電が行われる。ここで、ｘは１〜１２である。ゲートドライバ５３は、６番目のゲート線５１への電圧の印加を終了した後、再び１番目のゲート線５１に電圧を印加する。
【００５０】
また、図７には、１列目の３つの導光板２１の発光状態の推移が示されている。図中、「１行目の導光板」は導光板（１，１）を示し、「２行目の導光板」は導光板（２，１）を示し、「３行目の導光板」は導光板（３，１）を示している。導光板２１の発光状態としては、導光板２１が光を出射している状態（図中「出射」で示す状態）と、導光板２１が光の出射を停止している状態（図中「停止」で示す状態）とがある。
【００５１】
図７の例では、１番目のゲート線５１に接続された画素（１，１）及び画素（１，２）と、２番目のゲート線５１に接続された画素（２，１）及び画素（２，２）とが、導光板（１，１）の前方に配置されている。即ち、画素（１，１）、画素（１，２）、画素（２，１）、及び画素（２，２）が、導光板（１，１）に対応する表示区画内の画素５０である。また、３番目のゲート線５１に接続された画素（３，１）及び画素（３，２）と、４番目のゲート線５１に接続された画素（４，１）及び画素（４，２）とが、導光板（２，１）の前方に配置されている。即ち、画素（３，１）、画素（３，２）、画素（４，１）、及び画素（４，２）が、導光板（２，１）に対応する表示区画内の画素５０である。また、５番目のゲート線５１に接続された画素（５，１）及び画素（５，２）と、６番目のゲート線５１に接続された画素（６，１）及び画素（６，２）とが、導光板（３，１）の前方に配置されている。即ち、画素（５，１）、画素（５，２）、画素（６，１）、及び画素（６，２）が、導光板（３，１）に対応する表示区画内の画素５０である。
【００５２】
光スイッチ３３は、駆動部２５による制御の下、当該光スイッチ３３に対応するグループＱに属するＭ個の導光板２１の前方に配置されている複数の画素５０の書き換えタイミング（充電タイミング）に応じて、ＬＥＤ３０の光の入光先をＭ個の導光板２１の中で切替える。すなわち、図７の例において、１列目の光モジュール２３の光スイッチ３３は、導光板（１，１）に対応する表示区画内の画素５０、導光板（２，１）に対応する表示区画内の画素５０、及び導光板（３，１）に対応する表示区画内の画素５０の充電タイミングに応じて、１列目の光モジュール２３のＬＥＤ３０の光の入光先を導光板（１，１）、導光板（２，１）、及び導光板（３，１）の中で切り替える。
【００５３】
具体的には、導光板（１，１）については、その前方に配置されている画素（１，１）、画素（１，２）、画素（２，１）、及び画素（２，２）のうち、充電タイミングが最も早い画素（１，１）及び画素（１，２）の充電開始前の所定期間において、ＬＥＤ３０の光が入光して出射状態となる。即ち、導光板（１，１）については、１番目のゲート線５１への電圧印加が開始される前の所定期間において、ＬＥＤ３０の光が入光して出射状態となる。また、導光板（２，１）については、その前方に配置されている画素（３，１）、画素（３，２）、画素（４，１）、及び画素（４，２）のうち、充電タイミングが最も早い画素（３，１）及び画素（３，２）の充電開始前の所定期間において、ＬＥＤ３０の光が入光して出射状態となる。即ち、導光板（２，１）については、３番目のゲート線５１への電圧印加が開始される前の所定期間において、ＬＥＤ３０の光が入光して出射状態となる。更に、導光板（３，１）については、その前方に配置されている画素（５，１）、画素（５，２）、画素（６，１）、及び画素（６，２）のうち、充電タイミングが最も早い画素（５，１）及び画素（５，２）の充電開始前の所定期間において、ＬＥＤ３０の光が入光して出射状態となる。即ち、導光板（３，１）については、５番目のゲート線５１への電圧印加が開始される前の所定期間において、ＬＥＤ３０の光が入光して出射状態となる。ここで、上記所定期間の長さは、例えば、フレーム長を１つのグループＱに属する導光板２１の数で除算して得られる長さである。
【００５４】
このように、光スイッチ３３は、各導光板２１に対応する表示区画内の画素５０の充電がより安定する期間（次の充電の開始直前の所定期間）において当該導光板２１が出射状態となるように、ＬＥＤ３０の光の入光先を切替える。そして、上記所定期間以外の期間は、導光板を停止状態にする。これにより、ＬＥＤ３０の光を効率的に利用できるので、ＬＥＤ３０の数を低減できる。
【００５５】
また、図７の最も下の段には、１列目の光モジュール２３のＬＥＤ３０が出射する光の強度の推移が示されている。
【００５６】
図７に示すように、駆動部２５は、光スイッチ３３がＬＥＤ３０の光の入光先を切替えるごとに、ＬＥＤ３０が出射する光の強度を調整してもよい。駆動部２５は、出射状態となる導光板２１に対応する表示区画に表示される画像の明るさ（例えば、階調平均値）に応じて、ＬＥＤ３０が出射する光の強度を調整してもよい。この場合、駆動部２５は、画像の明るさの複数の範囲夫々について、当該範囲に属するときに選択されるＬＥＤ３０の光の強度を示す強度情報を管理し、当該強度情報に基づいて導光板２１に入光させるＬＥＤ３０の光の強度を決定してもよい。これにより、出射状態となる導光板２１に対応する表示区画に表示される画像が明るいほど、当該導光板２１に入光させるＬＥＤ３０の光の強度を強くすることができる。逆に言うと、出射状態となる導光板２１に対応する表示区画に表示される画像が暗いほど、当該導光板２１に入光させるＬＥＤ３０の光の強度を弱くすることができる。これにより、ＬＥＤ３０の光を効率的に利用できるので、ＬＥＤ３０の数を低減できる。
【００５７】
なお、駆動部２５は、光スイッチ３３がＬＥＤ３０の光の入光先を切替えるごとに、ＬＥＤ３０が光を出射している期間（出射期間）を調整してもよい。この場合は、出射状態となる導光板２１に対応する表示区画に表示される画像が明るいほど、当該導光板２１に入光させるＬＥＤ３０の光の出射期間を長くすることができる。逆に言うと、出射状態となる導光板２１に対応する表示区画に表示される画像が暗いほど、当該導光板２１に入光させるＬＥＤ３０の光の出射期間を短くすることができる。これにより、ＬＥＤ３０の光を効率的に利用できるので、ＬＥＤ３０の数を低減できる。
【００５８】
以上のように構成された光源装置２は、複数の導光板２１から光が出射される構成であり、Ｎ個の光モジュール２３は、最も下側に配置された導光板２１の下側に配置されている。このため、光源装置２の厚さは小さく、光源装置２の薄型化が実現される。また、光スイッチ３３は、ＬＥＤ３０の光を入光させる導光板２１を、対応するグループＱに属するＭ個の導光板２１のうちの１つに切替えるので、ＬＥＤ３０の光を効率的に利用でき、ＬＥＤ３０の数を低減できる。
【００５９】
（実施の形態２）
図８は、実施の形態２における光源装置２の構成図である。図８には、後側から見た実施の形態２における光源装置２の構成が概略的に示されている。以下では、実施の形態２について、主に実施の形態１と異なる点を説明する。実施の形態１と共通する構成部については、実施の形態１と同一の参照符号を付してその説明を省略する。
【００６０】
実施の形態２における表示装置１では、実施の形態１における表示装置１と比較して、光源装置２の構成が異なる。実施の形態２における光源装置２は、実施の形態１における光源装置２が備える構成部に加えて、Ｎ個の光ケーブル７０、光スイッチ７１（第２光スイッチ）、光ケーブル７２、コネクタ７３及びブーストＬＥＤ７４（第２光源）を備える。光ケーブル７０，７２夫々は、例えば、光ファイバである。Ｎ個の光モジュール２３夫々には、光ケーブル７０の一端が接続されている。光ケーブル７０の他端は、光スイッチ７１に接続されている。光スイッチ７１には、更に、光ケーブル７２の一端が接続されている。光ケーブル７２の他端は、コネクタ７３によって、ブーストＬＥＤ７４に接続されている。
【００６１】
ブーストＬＥＤ７４は、Ｎ個のグループＱ夫々に対応して設けられたＮ個のＬＥＤ３０夫々の光を増強するためのＬＥＤである。ブーストＬＥＤ７４は、ＬＥＤ３０と同様に、赤色、緑色及び青色の光を含む白色の光を出射する。ブーストＬＥＤ７４は、ＬＥＤ３０と同様に、駆動部２５によって制御される。駆動部２５は、ブーストＬＥＤ７４に光の出射を開始又は停止させる。また、駆動部２５は、ブーストＬＥＤ７４が出射する光の強度を調整する。
【００６２】
ブーストＬＥＤ７４から出射された光は、コネクタ７３及び光ケーブル７２を介して光スイッチ７１に入る。光スイッチ７１は、ブーストＬＥＤ７４から出射された光を、光スイッチ７１に接続されているＮ本の光ケーブル７０中のいずれか１以上（本実施の形態では１本）の光ケーブル７０に取り込む。光ケーブル７０に取り込まれた光は、この光ケーブル７０に接続されている光モジュール２３に入光する。
【００６３】
図９は、実施の形態２における光モジュール２３の構成図である。実施の形態２における光モジュール２３は、実施の形態１における光モジュール２３が有する構成部に加えて、光カプラ３４（第１合成部）及び光ケーブル３５を更に有する。光ケーブル３５は、例えば、光ファイバである。光ケーブル３２の一端は、実施の形態１と同様に、コネクタ３１によって、ＬＥＤ３０に接続されている。Ｎ個の光モジュール２３夫々は、Ｎ個のグループＱに対応して設けられているので、光モジュール２３が有する光カプラ３４も、Ｎ個のグループＱに対応してＮ個設けられている。実施の形態２における光源Ｈは、ＬＥＤ３０及び光カプラ３４を含む。
【００６４】
光ケーブル３２の他端と、光ケーブル３５，７０の一端とは、光カプラ３４に各別に接続されている。光ケーブル３５の他端は、光スイッチ３３に接続されている。
【００６５】
ブーストＬＥＤ７４から出射された光は、光スイッチ７１及び光ケーブル７０を介して、光カプラ３４に入光する。光カプラ３４は、ＬＥＤ３０が出射し、かつ、ブーストＬＥＤ７４から出射された光が入光した場合、ＬＥＤ３０の光に対して、光ケーブル７０を介して入光したブーストＬＥＤ７４の光を合成する。光カプラ３４によって合成された光は、光源Ｈの光として光ケーブル３５を介して光スイッチ３３に出射される。この場合、光スイッチ３３は、光源Ｈから出射された合成光を、対応するＭ個の導光板２１中の１つに出射する。
【００６６】
一方、光カプラ３４は、ＬＥＤ３０が光を出射し、かつ、ブーストＬＥＤ７４の光が入光していない場合、光の合成は行わずに、ＬＥＤ３０が出射した光を、光源Ｈの光として光ケーブル３５を介して光スイッチ３３に出射する。この場合、光スイッチ３３は、光源Ｈから出射された光（ＬＥＤ３０の光）を、対応するＭ個の導光板２１中の１つに出射する。
【００６７】
図８に戻り、光スイッチ７１は、Ｎ個の光モジュール２３（具体的には、Ｎ個の光カプラ３４）のいずれか１以上（本実施の形態では１つ）に、ブーストＬＥＤ７４の光を入光させるようにブーストＬＥＤ７４の光の入光先を切替える。具体的には、光スイッチ７１は、駆動部２５の指示に従って、Ｎ個の光モジュール２３の中から光源Ｈの光を増強する光モジュール２３を選択し、その選択した光モジュール２３に接続された光ケーブル７０に、ブーストＬＥＤ７４の光を入光させる。
【００６８】
例えば、光スイッチ７１は、駆動部２５による制御の下、表示パネル１０の表示領域に表示される画像、即ち、入力部５６に入力された画像データに基づく画像に基づいてブーストＬＥＤ７４の光の入光先を切替える。一例として、光スイッチ７１は、各グループＱにおいて選択された導光板２１に対応する表示区画に表示される画像の明るさ（例えば、階調平均値）を比較して、最も明るい表示区画のグループＱに対応するＬＥＤ３０の光が増強されるように、ブーストＬＥＤ７４の入光先を切替えてもよい。
【００６９】
図１０は、ＬＥＤ３０、ブーストＬＥＤ７４、及び光カプラ３４の動作の説明図である。ここでは、図８の左からＧ（Ｇ＝１，２，・・・，Ｎ）番目に配置されている光モジュール２３（Ｇ列目の光モジュール２３）のＬＥＤ３０及び光カプラ３４の動作を説明する。図１０では、Ｍが３である例が示されている。図１０には、Ｇ列目の光モジュール２３のＬＥＤ３０、ブーストＬＥＤ７４、及びＧ列目の光モジュール２３の光カプラ３４夫々が出射する光の強度の推移が示されている。ここでは、ブーストＬＥＤ７４が出射した光はＧ列目の光モジュール２３に入光するものとして説明する。
【００７０】
ＬＥＤ３０が同一強度の光を出射している場合において、ブーストＬＥＤ７４の光が光カプラ３４に入光しているときに光カプラ３４が出射する光（光源Ｈの光）の強度は、ブーストＬＥＤ７４の光が光カプラ３４に入光していないときに光カプラ３４が出射する光の強度よりも強い。
【００７１】
従って、ブーストＬＥＤ７４の光が光カプラ３４に入光している場合、図１０に示すように、光カプラ３４の出射光（光源Ｈの光）の強度が通常時よりも強くなる。ブーストＬＥＤ７４による光の出射の開始及び停止を制御することによって、例えば、隣り合う２つの導光板２１が出射する光の強度差を大きくすることができる。これにより、コントラストが大きい良質な画像を表示することができる。
【００７２】
図１０の例では、光スイッチ３３が、光カプラ３４が出射した光の入光先を１行目の導光板２１に切替えている期間、及び、光カプラ３４が出射した光の入光先を３行目の導光板２１に切替えている期間、ブーストＬＥＤ７４が光を出射しその光が光カプラ３４に入光している。一方、光スイッチ３３が、光カプラ３４が出射した光の入光先を２行目の導光板２１に切替えている期間、ブーストＬＥＤ７４が光の出射を停止している。これにより、１行目の導光板２１及び３行目の導光板２１が、２行目の導光板２１よりも強い光を出射していることがわかる。
【００７３】
実施の形態２において、駆動部２５は、出力部５８から入力された制御信号に従って、Ｎ個の光ケーブル７０の中から、ブーストＬＥＤ７４の光を取り込む光ケーブル７０を光スイッチ７１に切替えさせると共に、ブーストＬＥＤ７４が光を出射するタイミングを調整し、ブーストＬＥＤ７４が出射する光の強度及び／又はブーストＬＥＤ７４が光を出射する期間を調整する。これにより、所望の導光板２１が出射する光の強度が所望のタイミングで増強される。
【００７４】
以上のように、実施の形態２における光源装置２では、ＬＥＤ３０及びブーストＬＥＤ７４が出射した光を合成する構成が設けられているため、光を発する発光部の数を増加させることなく、表示パネル１０に表示される画像の部分的な高輝度化を実現することができる。結果、低コストでダイナミックレンジを向上させることができる。
【００７５】
なお、ＬＥＤ３０及びブーストＬＥＤ７４の光を合成する機器は、光カプラに限定されず、他の機器が用いられてもよい。また、実施の形態１，２において、ＬＥＤ３０及び／又はブーストＬＥＤ７４の代わりにＬＤを用いてもよい。ＬＤの指向性はＬＥＤ３０の指向性よりも高いので、ＬＤを用いた場合、光ケーブル３２内への光の取込みが容易であり、表示パネル１０に表示される画像の色純度が高くなる。
【００７６】
（実施の形態３）
図１１は、実施の形態３における光モジュール２３の構成図である。以下では、実施の形態３について、主に実施の形態１と異なる点を説明する。実施の形態１と共通する構成部については、実施の形態１と同一の参照符号を付してその説明を省略する。
【００７７】
実施の形態３における光モジュール２３は、実施の形態１と同様に、光源Ｈ及び光スイッチ３３等を有する。実施の形態３における光モジュール２３は、赤色ＬＥＤ３０ｒ（発光部）、緑色ＬＥＤ３０ｇ（発光部）、青色ＬＥＤ３０ｂ（発光部）、及び光カプラ３６（第２合成部）を有する光源Ｈと、コネクタ３１ｒ，３１ｇ，３１ｂと、光ケーブル３２ｒ，３２ｇ，３２ｂ，３７とを有する。光ケーブル３２ｒ，３２ｇ，３２ｂ，３７夫々は、例えば光ファイバである。
【００７８】
実施の形態１と同様に、Ｍ個の光ケーブル２２と光スイッチ３３とが接続されている。赤色ＬＥＤ３０ｒは、コネクタ３１ｒによって、光ケーブル３２ｒの一端に接続されている。緑色ＬＥＤ３０ｇは、コネクタ３１ｇによって、光ケーブル３２ｇの一端に接続されている。青色ＬＥＤ３０ｂは、コネクタ３１ｂによって、光ケーブル３２ｂの一端に接続されている。光ケーブル３２ｒ，３２ｇ，３２ｂの他端と、光ケーブル３７の一端とは光カプラ３６に各別に接続されている。光ケーブル３７の他端は、光スイッチ３３に接続されている。
【００７９】
赤色ＬＥＤ３０ｒは赤色の光を発する。赤色ＬＥＤ３０ｒが発した光は、光ケーブル３２ｒを介して光カプラ３６に入光される。緑色ＬＥＤ３０ｇは緑色の光を発する。緑色ＬＥＤ３０ｇが発した光は、光ケーブル３２ｇを介して光カプラ３６に入光される。青色ＬＥＤ３０ｂは青色の光を出射する。青色ＬＥＤ３０ｂが発した光は、光ケーブル３２ｂを介して光カプラ３６に入光される。
【００８０】
赤色ＬＥＤ３０ｒ、緑色ＬＥＤ３０ｇ、及び青色ＬＥＤ３０ｂは、駆動部２５によって各別に操作される。駆動部２５は、赤色ＬＥＤ３０ｒ、緑色ＬＥＤ３０ｇ、及び青色ＬＥＤ３０ｂに光の出射を開始又は停止させる。また、駆動部２５は、赤色ＬＥＤ３０ｒ、緑色ＬＥＤ３０ｇ、及び青色ＬＥＤ３０ｂが発する光の強度を調整する。
【００８１】
光カプラ３６は、赤色ＬＥＤ３０ｒ、緑色ＬＥＤ３０ｇ、及び青色ＬＥＤ３０ｂ夫々が発した３つの光を合成し、合成した光を、光源Ｈの光として光ケーブル３７を介して光スイッチ３３に出射する。このとき、光カプラ３６から出射される合成光は白色の光である。光スイッチ３３は、光カプラ３６から出射された合成光を、光スイッチ３３に接続されるＭ本の光ケーブル２２中の１つに取り込む。光ケーブル２２に取り込まれた光は、この光ケーブル２２に接続されている導光板２１に出射される。光スイッチ３３は、駆動部２５の指示に従って、光を取り込む光ケーブル２２を、Ｍ本の光ケーブル２２中の１本に切替える。
【００８２】
駆動部２５は、赤色ＬＥＤ３０ｒ、緑色ＬＥＤ３０ｇ、及び青色ＬＥＤ３０ｂが発する光の強度及び／又は赤色ＬＥＤ３０ｒ、緑色ＬＥＤ３０ｇ、及び青色ＬＥＤ３０ｂが光を発する期間を調整することにより、赤色ＬＥＤ３０ｒ、緑色ＬＥＤ３０ｇ、及び青色ＬＥＤ３０ｂ夫々が発する光の強度比を調整する。このように、赤色ＬＥＤ３０ｒ、緑色ＬＥＤ３０ｇ、及び青色ＬＥＤ３０ｂ夫々が発する光の強度比を変えることで、一の階調値において一定範囲の輝度を表現できるようになるので、階調表現の幅を広げることができる。
【００８３】
なお、赤色ＬＥＤ３０ｒの代わりに赤色の光を発するＬＤを用い、緑色ＬＥＤ３０ｇの代わりに緑色の光を発するＬＤを用い、青色ＬＥＤ３０ｂの代わりに青色の光を発するＬＤを用いてもよい。ＬＥＤ３０ｒ，３０ｇ，３０ｂの代わりにＬＤを用いた場合、表示パネル１０に表示される画像の色純度を向上させることができる。
【００８４】
また、光カプラ３６が合成する光は、赤色、緑色、及び青色の光に限定されない。例えば、光カプラ３６は、赤色、緑色、及び青色の光に加えて、他の色の光を合成してもよい。
【００８５】
なお、実施の形態３の構成に実施の形態２の構成を組み合わせてもよい。すなわち、実施の形態３における光源装置２は、ブーストＬＥＤ７４又はＬＤを更に有してもよい。この場合、ブーストＬＥＤ７４又はＬＤを、実施の形態２と同様に、光スイッチ７１及び光ケーブル７０を介して、光カプラ３６に接続する。この場合、実施の形態３における光源装置２は、実施の形態２における光源装置２と同様の効果を奏する。
【００８６】
なお、実施の形態１〜３において、導光板２１の光の入光位置は、切り欠き面２１ｃに限定されない。例えば、光ケーブル３２を介して、導光板２１の後面から光が入光されてもよい。
【００８７】
また、光スイッチ３３の構成は、光を出射する導光板２１を切替える構成であればよい。このため、光スイッチ３３は、ＭＥＭＳを用いたスイッチに限定されない。
【００８８】
開示された実施の形態１〜３はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００８９】
１  表示装置
１０  表示パネル
２  光源装置
２１  導光板
２１ａ  第１側面
２１ｂ  第２側面
２１ｃ  切り欠き面
２１ｄ  前面
２２  光ケーブル
２５  駆動部（制御部）
３０  ＬＥＤ（発光部）
３０ｒ  赤色ＬＥＤ（発光部）
３０ｇ  緑色ＬＥＤ（発光部）
３０ｂ  青色ＬＥＤ（発光部）
３３  光スイッチ（第１光スイッチ）
３４  光カプラ（第１合成部）
３６  光カプラ（第２合成部）
７１  光スイッチ（第２光スイッチ）
７４  ブーストＬＥＤ
Ｈ  光源（第１光源）
Ｑ  グループ
【図１】
2020017506.tif 000003
【図２】
2020017506.tif 000004
【図３】
2020017506.tif 000005
【図４】
2020017506.tif 000006
【図５】
2020017506.tif 000007
【図６】
2020017506.tif 000008
【図７】
2020017506.tif 000009
【図８】
2020017506.tif 000010
【図９】
2020017506.tif 000011
【図１０】
2020017506.tif 000012
【図１１】
2020017506.tif 000013